(57)【要約】      （修正有）【課題】建築資材や荷役現場において、吊荷を移動する時、玉掛者が、吊荷を地切りした後、安全を確認し、警報光と警報音を発する警報機を、吊荷の下に取り付け、吊荷下部の作業者に警報を発する警報装置を提供する。【解決手段】吊荷３をクレーンのフック１にワイヤー２を玉掛して、地切りをした後、吊荷の下に、警報機４を取り付け、吊荷の移動中、吊荷下部の作業者７に警報音６と警報光５を発する警報機４を吊設する。【選択図】図１
0003102524.tif 000002
【実用新案登録請求の範囲】
【請求項１】
本考案は、独自に電源部を持った、警報光と警報音の発生手段を設けたことを特徴とする吊荷警報装置。
【請求項２】
本考案は、玉掛者が、吊荷を地切りした後、安全確認し本考案の吊荷警報装置を警報機の上部にあるフックにヒモなどを通し、吊荷の下部に取り付けることを特徴とする吊荷警報装置である。
【考案の詳細な説明】
【考案の詳細な説明】
【産業上の利用分野】
【０００１】本考案は、クレーン作業で吊荷が安全に移動できるようにする為の吊荷警報装置に関する。
【背景技術】
【０００２】クレーンによる玉掛作業の時、吊荷の移動、吊荷の上げ下ろしをする時、吊荷の下で作業する人に合図者が安全の為に笛を吹いたりして、クレーン本体からの警報音を鳴らして危険を回避するようにしていた。
【考案が解決しようとする問題】
【０００３】従来の方法では、吊荷を安全に移動する為に、玉掛者、合図者、玉外し者の最低三人で作業せねばならず、非能率的であった。
【０００４】本考案は、吊荷を安全に移動させる為に、吊荷の下で作業する人に、吊荷の位置をいち早く確実に知らせることを目的としている。
【課題を解決する為の手段】
【０００５】本考案により正しい手順で玉掛をした後、地切りをし、更に玉掛の確認をし、本考案の吊荷警報装置を吊荷の下部に取り付ける。
【作用】
【０００６】吊荷が作業者の頭上を通過する時、昼夜を問わず、警報音や警報光で知らせることにより、玉掛による吊荷事故をなくすことが特徴である。
【実施例】
【０００７】本考案の一例を図１により説明する【０００８】クレーンの先端のフック１に吊ワイヤー２に吊荷３が吊設され、吊荷の下部に本考案の警報機４を取り付けた図である。警報機４は、上部にヒモ等で引っ掛けるフック部とスイッチ部、その下に、電源部、下部には、警報光５を発生するＬＥＤ部、その下に警報音６を発生するブザーで構成する警報機を、玉掛者が吊荷を地切りした後、安全を確認し、本考案の吊荷警報機を吊荷の下部に取り付け電源を入れ、吊荷が移動する際に、吊荷の下部の作業者に、吊荷の位置をいち早く音と光により知らせることができる。
【考案の効果】
【０００９】本考案は、クレーン玉掛作業において、一番重要である玉掛を確実にし、地切りをした後、吊荷の安全を確認し、本考案の警報機を吊荷下部に玉掛者が取り付ける事に重点を置いた。
【００１０】本考案の警報機を、吊荷下部に取り付けることで、吊荷下部の作業者にいち早く吊荷に注意を向かせ、吊荷下部の状態を認識させ、危険を回避することができ、吊荷事故を未然に防ぐことができ安全である。
【図面の簡単な説明】
【図１】本考案の吊荷警報装置を吊荷の下部に取り付け、吊荷下の作業者に警報光と警報音で危険回避を知らせる図である。
【図２】本考案の吊荷警報装置の構成図である。
【符号の説明】
１      クレーンのフック２      ワイヤー３      吊荷４      吊荷警報装置５      警報光６      警報音７      作業員
【図１】
0003102524.tif 000003
【図２】
0003102524.tif 000004
【手続補正書】
【提出日】平成15年10月5日(2003.10.5)
【手続補正１】
【補正対象書類名】実用新案登録請求の範囲
【補正対象項目名】全文
【補正方法】変更
【補正の内容】
【書類名】実用新案登録請求の範囲
【実用新案登録請求の範囲】
【請求項１】
乾電池による電源に、点滅するＬＥＤと電子ブザー、または電子ブザーのみを取り付けた装置により警報光や警報音の発生手段を設けたことを特徴とする吊荷警報装置。
【請求項２】
吊荷作業において、クレーンのフックや吊荷の下に請求項１の警報装置を吊り下げて、玉掛者が装置を稼動させることで、警報光や警報音、または警報音のみを発生することが出来ることを特徴とした警報装置。
【考案の詳細な説明】
【０００１】
【産業上の利用分野】
本考案は、クレーン作業で吊荷が安全に移動できるようにする為の吊荷警報装置に関する。
【０００２】
【従来の技術】
クレーンによる玉掛作業の時、吊荷の移動、吊荷の上げ下ろしをする時、吊荷の下で作業する人に合図者が安全の為に笛を吹いたりして、クレーン本体からの警報音を鳴らして危険を回避するようにしていた。
【０００３】
【考案が解決しようとする問題】
従来の方法では、吊荷を安全に移動する為に、玉掛者、合図者、玉外し者の最低三人で作業せねばならず、非能率的であった。
【０００４】
本考案は、吊荷を安全に移動させる為に、吊荷の下で作業する人に、吊荷の位置をいち早く確実に知らせることを目的としている。
【０００５】
【課題を解決する為の手段】
本考案により正しい手順で玉掛をした後、地切りをし、更に玉掛の確認をし、本考案の吊荷警報装置を吊荷の下部に取り付ける。
【０００６】
【作用】
吊荷が作業者の頭上を通過する時、昼夜を問わず、警報音や警報光で知らせることにより、玉掛による吊荷事故をなくすことが特徴である。
【０００７】
【実施例】
本考案の一例を図１により説明する
【０００８】
クレーンの先端のフック１に吊ワイヤー２に吊荷３が吊設され、吊荷の下部に本考案の警報機４を取り付けた図である。警報機４は、上部にヒモ等で引っ掛けるフック部とスイッチ部、その下に、電源部、下部には、警報光５を発生するＬＥＤ部、その下に警報音６を発生するブザーで構成する警報機を、玉掛者が吊荷を地切りした後、安全を確認し、本考案の吊荷警報機を吊荷の下部に取り付け電源を入れ、吊荷が移動する際に、吊荷の下部の作業者に、吊荷の位置をいち早く音と光により知らせることができる。
【０００９】
【考案の効果】
本考案は、クレーン玉掛作業において、一番重要である玉掛を確実にし、地切りをした後、吊荷の安全を確認し、本考案の警報機を吊荷下部に玉掛者が取り付ける事に重点を置いた。
【００１０】
本考案の警報機を、吊荷下部に取り付けることで、吊荷下部の作業者にいち早く吊荷に注意を向かせ、吊荷下部の状態を認識させ、危険を回避することができ、吊荷事故を未然に防ぐことができ安全である。
【図面の簡単な説明】
【図１】
本考案の吊荷警報装置を吊荷の下部に取り付け、吊荷下の作業者に警報光と警報音で危険回避を知らせる図である。
【図２】
本考案の吊荷警報装置の構成図である。
【符号の説明】
１      クレーンのフック
２      ワイヤー
３      吊荷
４      吊荷警報装置
５      警報光
６      警報音
７      作業員
【手続補正書】
【提出日】平成15年12月15日(2003.12.15)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
乾電池による電源に、点滅するＬＥＤと電子ブザー、または電子ブザーのみを取り付けた装置により警報光や警報音の発生手段を設けたことを特徴とする吊荷警報装置。
【請求項２】
吊荷作業において、クレーンのフックや吊荷の下に請求項１の警報装置を吊り下げて、玉掛者が装置を稼動させることで、警報光や警報音、または警報音のみを発生することが出来ることを特徴とした警報装置。